(57)【要約】  物流倉庫の見積り時の契約条件に対して変更管理と影響を予測し、見積もり精度を向上する。  物流倉庫の見積りから運用までの各フェーズにおける収入と支出に関わるデータを履歴データとして一元的に記憶している情報記憶部と、前記情報記憶部から履歴データを読み出し、見積り額とその後の収支との乖離が生じた原因分析を行い、乖離内容を特定する収益内容乖離解析部と、特定された乖離内容に応じて、契約条件変更シナリオを作成し、情報記憶部に登録する契約条件変更シナリオ登録部と、登録した契約条件変更シナリオに基づいて、物流倉庫の収益計算シミュレーションを実行する収益計算シミュレーション実行部とを有することを特徴とする倉庫収益シミュレーション装置。
2015145594.tif 000002
【特許請求の範囲】
【請求項１】
物流倉庫の見積りから運用までの各フェーズにおける収入と支出に関わるデータを履歴データとして一元的に記憶している情報記憶部と、
前記情報記憶部から履歴データを読み出し、見積り額とその後の収支との乖離が生じた原因分析を行い、乖離内容を特定する収益内容乖離解析部と、
特定された乖離内容に応じて、契約条件変更シナリオを作成し、情報記憶部に登録する契約条件変更シナリオ登録部と、
登録した契約条件変更シナリオに基づいて、物流倉庫の収益計算シミュレーションを実行する収益計算シミュレーション実行部とを有することを特徴とする倉庫収益シミュレーション装置。
【請求項２】
請求項１において、
所定の契約条件を変更する手段と、
変更した契約条件に対して、収益計算シミュレーションを実行し、収益を評価する手段とを備えたことを特徴とした倉庫収益シミュレーション装置。
【請求項３】
請求項２において、
前記所定の契約条件に基づく収支計画と前記変更した契約条件に基づく収支計画とをユーザが対比可能となるように可視化することを特徴とする倉庫収益シミュレーション装置。
【請求項４】
物流倉庫の見積りから運用までの各フェーズにおける収入と支出に関わるデータを履歴データとして一元的に記憶しておき、
前記情報記憶部から履歴データを読み出し、見積り額とその後の収支との乖離が生じた原因分析を行い、乖離内容を特定し、
特定された乖離内容に応じた契約条件変更シナリオを作成し、
契約条件変更シナリオに基づいて、物流倉庫の収益計算シミュレーションを行うことを特徴とする倉庫収益シミュレーション方法。
【請求項５】
請求項４において、
所定の契約条件を変更し、変更した契約条件に対して、収益計算シミュレーションを実行し、収益を評価することを特徴とした倉庫収益シミュレーション方法。
【請求項６】
請求項５において、
前記所定の契約条件に基づく収支計画と前記変更した契約条件に基づく収支計画とをユーザが対比可能となるように可視化することを特徴とする倉庫収益シミュレーション方法。
【発明の詳細な説明】
【技術分野】
【０００１】
本発明は、倉庫収益シミュレーション技術に関する。
【背景技術】
【０００２】
物流倉庫業務を受注するためには、顧客に対して倉庫関連業務に関する見積もり提案書を作成する。製造ラインの設計見積りに関する背景技術として、特開2006-31360号公報（特許文献１）がある。この公報には、「シミュレーション結果が目標生産能力および目標投資費用に近くなるようにするために必要な生産能力および／または投資費用となる少なくとも一つの設備を対策情報記憶部１５から選択して生産シミュレーション部へ出力する対策手段分析部１２からなり、対策手段分析部１２で選択された設備により再度シミュレーションを実行することで生産ラインの計画に対して生産能力と投資費用が最適となる設備を自動的に選択する。」と記載されている。
【先行技術文献】
【特許文献】
【０００３】
【特許文献１】特開2006-31360号公報
【発明の概要】
【発明が解決しようとする課題】
【０００４】
前記特許文献１では、見積もり提案書作成時に、最適な拠点選択と倉庫・配送業務の高精度な見積もりが可能であれば、物流倉庫の設計にも十分に適用可能である。【０００５】
しかし、見積もり提案作成時点において、最適な拠点選択と倉庫・配送業務の高精度な見積もりを短期間に行うことは困難である。倉庫・配送業務の運用立上げが計画とおりに進まず、想定以上のコストが発生して契約時の単価設定が実態と合わず、運営が赤字化するケースが発生しやすかった。【０００６】
本発明の目的は、見積り時の契約条件に対して変更管理と影響を予測し、見積もり精度を向上することにある。
【課題を解決するための手段】
【０００７】
本願は上記課題を解決する手段を多数含むものであるが、その一例を挙げるならば次のとおりである。【０００８】
物流倉庫の見積りから運用までの各フェーズにおける収入と支出に関わるデータを履歴データとして一元的に記憶している情報記憶部と、前記情報記憶部から履歴データを読み出し、見積り額とその後の収支との乖離が生じた原因分析を行い、乖離内容を特定する収益内容乖離解析部と、特定された乖離内容に応じて、契約条件変更シナリオを作成し、情報記憶部に登録する契約条件変更シナリオ登録部と、登録した契約条件変更シナリオに基づいて、物流倉庫の収益計算シミュレーションを実行する収益計算シミュレーション実行部とを有することを特徴とする倉庫収益シミュレーション装置。
【発明の効果】
【０００９】
本発明によれば、物流倉庫の見積り精度の向上を図ることにある。
【図面の簡単な説明】
【００１０】
【図１】倉庫収益シミュレーション装置の概略図を示す図である。
【図２】倉庫売上げ情報記憶部のデータテーブルである。
【図３】倉庫コスト情報記憶部のデータテーブルである。
【図４】契約条件変更情報記憶部のデータテーブルである。
【図５】シミュレーション結果記憶部のデータテーブルである。
【図６】倉庫収益シミュレーション装置のハードウェア構成を示す図である。
【図７】倉庫収益シミュレーションのフローチャートである。
【図８】物流倉庫収益性評価部が実行する処理を示すフローチャートである。
【図９】収益評価画面を示す図である。
【図１０】収益評価画面を示す図である。
【図１１】収益評価画面を示す図である。
【図１２】契約条件変更画面である。
【図１３】契約条件変更シミュレーション結果示す出力画面である。
【発明を実施するための形態】
【００１１】
以下、本発明の一実現形態について説明する。
【実施例１】
【００１２】
［倉庫収益シミュレーション装置の基本構成］
図１は、倉庫収益シミュレーション装置１１０の概略図である。図示するように、倉庫収益シミュレーション装置１１０は、制御部１１１と、入力部１１２、出力部１１３、通信部１１４、記憶部１１５を備える。【００１３】
制御部１１１は、物流倉庫収益性評価部１１１１と、収益内容乖離解析部１１１２と、契約条件変更シナリオ登録部１１１３と、収益計算シミュレーション実行部１１１４と、シミュレーション結果出力部１１１５とを備える。入力部１１２は、外部から情報の入力を受け取る。出力部１１３は、外部へ情報を出力する。通信部１１４は、ネットワーク１９０を介した情報の送受信を行う。記憶部１１５は、倉庫売上げ情報記憶部１１５１と、倉庫コスト情報記憶部１１５２と、契約条件変更情報記憶部１１５３と、シミュレーション結果記憶部１１５４と、を備える。【００１４】
［各記憶部のデータフォーマット］
図２は、倉庫売上げ情報記憶部１１５１のデータテーブルである。「見積り」から「運用」に至るまでの各フェーズ（「見積り」「設計」「運用」など）を登録するための「フェーズ」フィールド、倉庫売上げの「品目」を登録するための「品目」フィールド、倉庫売上げの費目を登録するための「費目」フィールド、倉庫売上げの時間を登録するための「時間」フィールド、倉庫売上げの対象となる製品をある時間に販売を計画している数量を登録するための「数量」フィールド、倉庫売上げの対象となる製品をある時間に販売を計画している単価を登録するための「単価」フィールドを備えている。【００１５】
図３は、倉庫コスト情報記憶部１１５２のデータテーブルである。図３に示すとおり、倉庫コスト情報記憶部１１５２のデータテーブルは、「フェーズ」フィールド、倉庫コストの費目を登録するための「費目」フィールド、倉庫コストの時間を登録するための「時間」フィールド、倉庫コストの対象となる製品をある時間に販売実績数量を登録するための「数量」フィールド、倉庫売上げの対象となる製品をある時間に販売した単価を登録するための「単価」フィールドを備えている。【００１６】
図４は、契約条件変更情報記憶部１１５３のデータテーブルである。図４において、契約条件変更情報記憶部１１５３のデータテーブルは、契約条件の費目を登録するための「費目」フィールド、契約条件の開始、終了時間を登録するための「開始」「終了」フィールド、契約条件の対象となる製品をある時間に販売する単価を登録するための「単価」フィールドを備えている。【００１７】
図５は、シミュレーション結果記憶部１１５４のデータテーブルである。図５において、シミュレーション結果記憶部１１５４のデータテーブルは、シミュレーション結果となる「売上げ」「コスト」を示す分類を登録するための「分類」フィールド、倉庫売上げの品目を登録するための「品目」費目（フィールド、倉庫売上げ、コスト）を登録するための「費目」フィールド、倉庫売上げ、コストの時間を登録するための「時間」フィールド、倉庫売上げ、コストの対象となる製品をある時間に販売を計画している数量を登録するための「数量」フィールド、倉庫売上げ、コストの対象となる製品をある時間に販売を計画している単価を登録するための「単価」フィールドを備えている。【００１８】
製造ライン設計装置１１０は、例えば、図６（コンピュータ９００の概略図）に示すような、ＣＰＵ(Central Processing Unit)９０１と、メモリ９０２と、ＨＤＤ（Hard Disk Drive）等の外部記憶装置９０３と、ＣＤ（Compact Disk）やＤＶＤ(Digital Versatile Disk)等の可搬性を有する記憶媒体９０４に対して情報を読み書きする読取装置９０５と、キーボードやマウスなどの入力装置９０６と、ディスプレイなどの出力装置９０７と、通信ネットワークに接続するためのＮＩＣ(Network Interface Card)等の通信装置９０８と、を備えた一般的なコンピュータ９００で実現できる。【００１９】
次に、倉庫収益シミュレーション装置１１０がプログラムを実行することによりなす処理ついて、図７を用いて順に説明する。【００２０】
図７は、倉庫収益シミュレーション装置１１０が実行する収益評価シミュレーションで、物流倉庫設計業務において、見積りから運用まで、一元でデータ管理し、見積り時の契約条件に対して、変更管理と影響を予測する処理を示すフローチャートである。【００２１】
まず、物流倉庫収益性評価部１１１１は、フェーズ毎に物流倉庫の収益性評価を行う（Ｓ１０）。なお、このステップＳ１０の詳細は、図８を用いて説明する。図８は、ステップＳ１０の物流倉庫収益性評価部１１１１が実行する処理を示すフローチャートである。【００２２】
まず、物流倉庫収益性評価部１１１１は、記憶部１１５に格納されている、倉庫売上情報記憶部１１５１のデータと、倉庫コスト情報記憶部１１５２のデータを読み込む（Ｓ１０１）。【００２３】
次に、物流倉庫収益性評価部１１１１は、倉庫売上情報記憶部１１５２と、倉庫コスト情報記憶部１１５３の全フェーズの数だけ処理ステップＳ１０３〜Ｓ１０６を繰り返す（Ｓ１０２）。【００２４】
次に、物流倉庫収益性評価部１１１１は、倉庫売上情報記憶部１１５２と、倉庫コスト情報記憶部１１５３の全費目の数だけ処理ステップＳ１０４〜Ｓ１０５を繰り返す（Ｓ１０３）。【００２５】
次に、物流倉庫収益性評価部１１１１は、フェーズ、費目、時間を抽出し、売上げコストを集計する。（Ｓ１０４）。
１１１は、全費目の数だけ処理ステップＳ１０４を繰り返し（Ｓ１０５）、全フェーズの数だけ処理ステップＳ１０３〜Ｓ１０５を繰り返す（Ｓ１０６）。【００２６】
次に、物流倉庫収益性評価部１１１１は、集計結果を、ユーザの入力に従って、または自動的に画面に出力するとともに、シミュレーション結果記憶部１１５４に登録する（Ｓ１０７）。【００２７】
図９は、収益集計画面１０００の一例を示す図である。表示項目１００１には、横軸に「時間」、縦軸に「経費」を示し、「時間」単位に集計した売上げとコストを棒グラフで示す。【００２８】
物流倉庫収益性評価部１１１１は、入力項目１００２を通じて、ユーザから「フェーズ」と「集計方法」の選択を受け付ける。図９の例では、ユーザが「フェーズ」として「見積り」を選択し「集計方法」として「月集計」を選択し、入力項目「実行」１００３のボタンを押下した場合、物流倉庫収益性評価部１１１１はその入力を受け付け、入力された「フェーズ」と「集計方法」で再集計し、上記表示を行う。図９の例では「見積り」を「月集計」で集計し、表示しているが、他のフェーズ、他の「集計方法」を選択し、上記のように、表示をすることも可能である。【００２９】
図１０は、収益集計画面１０１０の例を示す図である。表示項目１００１には、横軸にフェーズ、縦軸に経費を示し、フェーズ単位に集計した売上げとコストを棒グラフで示す。【００３０】
物流倉庫収益性評価部１１１１は、入力項目１０１２を通じて、ユーザから「時間」の選択を受け付ける。図１０の例では、ユーザが「時間」として「’13/9」を選択し、入力項目「実行」１０１３のボタンを押下すると、物流倉庫収益性評価部１１１１はその入力を受け付け、「フェーズ」毎に入力された「時間」で再集計し、上記表示を行う。図１０の例では「’13/9」における「フェーズ」毎の売上げ、コストを比較することができるようになる。図１０の例では「’13/9」で表示しているが、他の時間を選択し、上記のように表示することも可能である。【００３１】
次に、収益内容乖離解析部１１１２は、フェーズに応じて、収益評価の乖離内容を分析、特定する（Ｓ２０）。なお、このステップＳ２０の詳細は、図１１を用いて説明する。【００３２】
図１１は、収益評価画面１０２０を示す図である。収益評価画面１０２０は、収益内容乖離解析部１１１２の結果を示す画面である。表示項目１０２１には、「費目」のタブ毎に、横軸に売上げ、縦軸にコストを示し、時間単位、フェーズ単位にプロットした散布図を示す。【００３３】
収益内容乖離解析部１１１２は、入力項目１０２２を通じて、ユーザから「時間」と「フェーズ」の選択を受け付ける。図１１の例では、ユーザが「時間」として「’13/9」を選択し、「フェーズ」として「運用」を選択し、入力項目「実行」１０２３のボタンを押下すると、収益内容乖離解析部１１１２はその入力を受け付け、入力された「’13/9」の「運用」で再集計し、上記表示を行う。図１１の例では、「作業費」における分析が可能になる。図１１の例では、「保管」「梱包」「配送」などの他の「費目」を選択し、上記のように表示することも可能である。【００３４】
本図では、（A）コストが大きくなる日の原因分析（作業内容とその原因）、（B)当初計画に対する乖離が大きい実績作業の明確化、を可視化することができる。【００３５】
収益内容乖離解析部１１１２は、さらに、(A)(B)を自動的に集計して、当初計画に対する実績の乖離の度合いを計算し、原因を特定する。【００３６】
次に、契約条件変更シナリオ登録部１１１３は、乖離内容に応じて、契約条件変更シナリオを契約条件変更情報記憶部１１５３に登録する（Ｓ３０）。なお、このステップＳ３０の詳細は、図１２を用いて説明する。【００３７】
図１２は、契約条件変更画面１０３０である。契約条件変更画面１０３０は、契約条件変更シナリオ登録部１１１３の計算結果を示している。入力項目１０３１には、契約条件変更情報記憶部１１５３を読み込んだ内容が表示されている。なお、初期値として、所定の（当初の）契約条件が登録されている。【００３８】
契約条件変更シナリオ登録部１１１３は、入力項目１０３２を通じて、ユーザから、契約条件の変更を受け付ける。図１２の例では、ユーザが入力項目１０３１に契約条件を変更するパラメータを入力し、入力項目「更新」１０３２のボタンを押下すると、契約条件変更シナリオ登録部１１１３は、契約条件変更情報記憶部１１５３の内容を更新する。【００３９】
また、ユーザが入力項目「実行」１０３２のボタンを押下すると、収益計算シミュレーション実行部１１１４が、契約条件変更情報記憶部１１５３に基づき物流倉庫の収益計算シミュレーションを実行し、シミュレーション結果をシミュレーション結果記憶部１１５４に登録する（Ｓ４０）。【００４０】
最後に、シミュレーション結果出力部１１１５は、シミュレーション結果記憶部１１５４に登録されたシミュレーション結果を出力する。（Ｓ５０）。図１３は、収益計算シミュレーション結果を示す出力画面である。出力画面１０３０は、収益計算シミュレーション実行部１１１４の計算結果である「費目」毎の収支計算結果を棒グラフで表示し、ユーザ対比可能となるように可視化したものである。本画面の左に変更前、右に変更後を示し、契約条件変更に対する影響を評価できるようにしている。
【符号の説明】
【００４１】
１１０  倉庫収益シミュレーション装置
１１１  制御部
１１２  入力部
１１３  出力部
１１４  通信部
１１５  記憶部
１９０  ネットワーク
１１１１  物流倉庫収益性評価部
１１１２  収益内容乖離解析部
１１１３  契約条件変更シナリオ登録部
１１１４  収益計算シミュレーション実行部
１１１５  シミュレーション結果出力部
１１５１  倉庫売上げ情報記憶部
１１５２  倉庫コスト情報記憶部
１１５３  契約条件変更情報記憶部
１１５４  シミュレーション結果記憶部
【図１】
2015145594.tif 000003
【図２】
2015145594.tif 000004
【図３】
2015145594.tif 000005
【図４】
2015145594.tif 000006
【図５】
2015145594.tif 000007
【図６】
2015145594.tif 000008
【図７】
2015145594.tif 000009
【図８】
2015145594.tif 000010
【図９】
2015145594.tif 000011
【図１０】
2015145594.tif 000012
【図１１】
2015145594.tif 000013
【図１２】
2015145594.tif 000014
【図１３】
2015145594.tif 000015
【国際調査報告】
2015145594.tif 000016
2015145594.tif 000017
2015145594.tif 000018
2015145594.tif 000019